(57)【要約】【課題】衣料が洗濯槽に詰め込まれた状態で洗濯しても、食べこぼし汚れの洗浄性に優れる衣料用液体洗浄剤組成物を提供する。【解決手段】（ａ）一般式（１）の陰イオン界面活性剤、（ｂ）一般式（２）の非イオン界面活性剤、（ｃ）炭素数１２〜１４の脂肪酸及び／又はその塩、（ｄ）炭素数３〜９の炭化水素基を有する２価のアルコール、及び炭素数１〜５のアルコールに、炭素数２又は３のアルキレンオキシ基が、２モル又は３モル付加した化合物から選ばれる化合物、並びに水を、所定条件で配合してなる衣料用液体洗浄剤組成物。  Ｒ1−Ｏ−（Ａ1Ｏ）p1−（ＥＯ）q1−ＳＯ3Ｍ    （１）  Ｒ2−Ｏ−（Ａ2Ｏ）p2−（ＥＯ）q2−Ｈ          （２）〔式中、Ｒ1、Ｒ2は炭素数１０〜１８の炭化水素基、Ａ1Ｏ、Ａ2Ｏは炭素数３のアルキレンオキシ基及び／又は炭素数４のアルキレンオキシ基、ＥＯはエチレンオキシ基、ｐ１、ｐ２は１．０〜３．０の数、ｑ１、ｑ２は１．０〜３．０の数、Ｍは水素原子又は対イオンを示す。−（Ａ1Ｏ）p1−（ＥＯ）q1−、−（Ａ2Ｏ）p2−（ＥＯ）q2−は、この順にＲ1−Ｏ又はＲ2−Ｏとブロックで結合している。〕【選択図】なし【特許請求の範囲】
【請求項１】
下記（ａ）成分、（ｂ）成分、（ｃ）成分、（ｄ）成分及び水を配合してなり、
水の配合量が８質量％超、５０質量％以下であり、
（ａ）成分の配合量と（ｂ）成分の配合量との質量比が、（ｂ）成分／（ａ）成分で、０．０２以上、０．５以下であり、
（ａ）成分の配合量と（ｂ）成分の配合量と（ｃ）成分の配合量の合計量と、（ｄ）成分の配合量との質量比が、（ｄ）成分／〔（ａ）成分＋（ｂ）成分＋（ｃ）成分〕で、０．３以上、０．８以下である、
衣料用液体洗浄剤組成物。
（ａ）成分：下記一般式（１）で表される陰イオン界面活性剤
Ｒ1−Ｏ−（Ａ1Ｏ）p1−（ＥＯ）q1−ＳＯ3Ｍ        （１）
〔式中、Ｒ1は炭素数１０以上、１８以下の炭化水素基を示し、Ａ1Ｏは、炭素数３のアルキレンオキシ基及び炭素数４のアルキレンオキシ基から選ばれるアルキレンオキシ基を示し、ＥＯはエチレンオキシ基を示し、ｐ１は平均付加モル数であり、１．０以上、３．０以下の数を示し、ｑ１は平均付加モル数であり、１．０以上、３．０以下の数を示し、Ｍは水素原子又は塩を形成する対イオンを示す。−（Ａ1Ｏ）p1−（ＥＯ）q1−は、この順にＲ1−Ｏとブロックで結合している。〕
（ｂ）成分：下記一般式（２）で表される非イオン界面活性剤
Ｒ2−Ｏ−（Ａ2Ｏ）p2−（ＥＯ）q2−Ｈ        （２）
〔式中、Ｒ2は炭素数１０以上、１８以下の炭化水素基を示し、Ａ2Ｏは、炭素数３のアルキレンオキシ基及び炭素数４のアルキレンオキシ基から選ばれるアルキレンオキシ基を示し、ｐ２は平均付加モル数で１．０以上、３．０以下の数であり、ＥＯはエチレンオキシ基であり、ｑ２は平均付加モル数で１．０以上、３．０以下の数を示す。−（Ａ2Ｏ）p2−（ＥＯ）q2−は、この順にＲ2−Ｏとブロックで結合している。〕
（ｃ）成分：炭素数１２以上、１４以下の脂肪酸及びその塩から選ばれる化合物
（ｄ）成分：炭素数３以上、９以下の炭化水素基を有する２価のアルコール、及び炭素数１以上、５以下の１価のアルコールに、炭素数２又は３のアルキレンオキシ基が、２モル又は３モル付加した化合物から選ばれる１種以上の化合物
【請求項２】
前記の（ａ）成分の配合量と（ｂ）成分の配合量の合計量と、（ｃ）成分の配合量との質量比が、（ｃ）成分／〔（ａ）成分＋（ｂ）成分〕で、０．０５以上、０．４以下である、請求項１に記載の衣料用液体洗浄剤組成物。
【請求項３】
（ａ）成分のｐ１と（ｂ）成分のｐ２との比が、ｐ１／ｐ２で、０．８以上、１．２以下であり、（ａ）成分のｑ１と（ｂ）成分のｑ２との比が、ｑ１／ｑ２で、０．９以上、１．１以下である、請求項１又は２に記載の衣料用液体洗浄剤組成物。
【請求項４】
塗布型である、請求項１〜３の何れかに記載の衣料用液体洗浄剤組成物。
【発明の詳細な説明】
【技術分野】
【０００１】
本発明は、衣料用液体洗浄剤組成物に関する。
【背景技術】
【０００２】
ミートソースなどの脂質汚れに代表される食べこぼし汚れは、落ちにくい汚れの一つとして知られている。食べこぼし汚れの洗浄性を高める為に、衣料用液体洗浄剤組成物を、衣料に付着した食べこぼし汚れに塗布して洗浄することが知られている。
【０００３】
近年、洗濯機が大型化し、１回当たりの洗濯物の量が増えている。洗濯物の量が多いと、洗濯槽内に多量の衣料が詰め込まれた状態で洗濯される場合がある。また、洗濯に使用する水の量を少なくする洗濯機も販売されている。洗濯に使用する水の量を少なくすることは、洗濯する衣料の質量（ｋｇ）に対して、水（洗浄液）の容量（リットル）が少なくなる傾向を助長する。衣料の質量に対する洗浄液の量の比で表される浴比が、洗浄液の容量（リットル）／衣料の質量（ｋｇ）で、１５以下になると、洗濯槽内に多量の衣料が詰め込まれた状態と、概ね同じ条件になると考えられる。
【０００４】
特許文献１には、特定の構造を有する非イオン界面活性剤、陰イオン界面活性剤、陽イオン界面活性剤、シリコーン化合物、特定の香料化合物、及び水混和性有機溶剤を含有する液体洗浄剤組成物が開示されている。特許文献１には、詰め込み洗濯時の課題の示唆はない。
【０００５】
特許文献２には、有機汚垢に対して高い洗浄率を有し、溶剤が少なくても低温での流動性に優れた液体洗浄剤組成物が開示されている。特許文献２には、詰め込み洗濯時の課題の示唆はない。
【先行技術文献】
【特許文献】
【０００６】
【特許文献１】特開２０１２−８７２２８号公報
【特許文献２】特開２０１０−４７６５５号公報
【発明の概要】
【発明が解決しようとする課題】
【０００７】
作業者は、皮脂汚れ又は脂質汚れに代表される食べこぼし汚れに対して、液体洗浄剤組成物を塗布することで優れた洗浄効果を高めている。しかしながら、洗濯槽内に衣料が詰め込まれた状態で洗濯する時の洗浄効果には、未だ改善の余地がある。
【０００８】
本発明は、衣料が洗濯槽に詰め込まれた状態で洗濯しても、食べこぼし汚れの洗浄性に優れる衣料用液体洗浄剤組成物を提供する。
【課題を解決するための手段】
【０００９】
本発明は、下記（ａ）成分、（ｂ）成分、（ｃ）成分、（ｄ）成分及び水を配合してなり、
水の配合量が８質量％超、５０質量％以下であり、
（ａ）成分の配合量と（ｂ）成分の配合量との質量比が、（ｂ）成分／（ａ）成分で、０．０２以上、０．５以下であり、
（ａ）成分の配合量と（ｂ）成分の配合量と（ｃ）成分の配合量の合計量と、（ｄ）成分の配合量との質量比が、（ｄ）成分／〔（ａ）成分＋（ｂ）成分＋（ｃ）成分〕で、０．３以上、０．８以下である、
衣料用液体洗浄剤組成物に関する。
（ａ）成分：下記一般式（１）で表される陰イオン界面活性剤
Ｒ1−Ｏ−（Ａ1Ｏ）p1−（ＥＯ）q1−ＳＯ3Ｍ        （１）
〔式中、Ｒ1は炭素数１０以上、１８以下の炭化水素基を示し、Ａ1Ｏは、炭素数３のアルキレンオキシ基及び炭素数４のアルキレンオキシ基から選ばれるアルキレンオキシ基を示し、ＥＯはエチレンオキシ基を示し、ｐ１は平均付加モル数であり、１．０以上、３．０以下の数を示し、ｑ１は平均付加モル数であり、１．０以上、３．０以下の数を示し、Ｍは水素原子又は塩を形成する対イオンを示す。−（Ａ1Ｏ）p1−（ＥＯ）q1−は、この順にＲ1−Ｏとブロックで結合している。〕
（ｂ）成分：下記一般式（２）で表される非イオン界面活性剤
Ｒ2−Ｏ−（Ａ2Ｏ）p2−（ＥＯ）q2−Ｈ        （２）
〔式中、Ｒ2は炭素数１０以上、１８以下の炭化水素基を示し、Ａ2Ｏは、炭素数３のアルキレンオキシ基及び炭素数４のアルキレンオキシ基から選ばれるアルキレンオキシ基を示し、ｐ２は平均付加モル数で１．０以上、３．０以下の数であり、ＥＯはエチレンオキシ基であり、ｑ２は平均付加モル数で１．０以上、３．０以下の数を示す。−（Ａ2Ｏ）p2−（ＥＯ）q2−は、この順にＲ2−Ｏとブロックで結合している。〕
（ｃ）成分：炭素数１２以上、１４以下の脂肪酸及びその塩から選ばれる化合物
（ｄ）成分：炭素数３以上、９以下の炭化水素基を有する２価のアルコール、及び炭素数１以上、５以下の１価のアルコールに、炭素数２又は３のアルキレンオキシ基が、２モル又は３モル付加した化合物から選ばれる１種以上の化合物
【発明の効果】
【００１０】
本発明によれば、衣料が洗濯槽に詰め込まれた状態で洗濯しても、食べこぼし汚れの洗浄性に優れる衣料用液体洗浄剤組成物が提供される。
【発明を実施するための形態】
【００１１】
＜（ａ）成分＞
本発明で用いられる（ａ）成分の陰イオン界面活性剤は、下記一般式（１）で表される化合物である。
Ｒ1−Ｏ−（Ａ1Ｏ）p1−（ＥＯ）q1−ＳＯ3Ｍ        （１）
〔式中、Ｒ1は炭素数１０以上、１８以下の炭化水素基を示し、Ａ1Ｏは、炭素数３のアルキレンオキシ基及び炭素数４のアルキレンオキシ基から選ばれるアルキレンオキシ基を示し、ＥＯはエチレンオキシ基を示し、ｐ１は平均付加モル数であり、１．０以上、３．０以下の数を示し、ｑ１は平均付加モル数であり、１．０以上、３．０以下の数を示し、Ｍは水素原子又は塩を形成する対イオンを示す。−（Ａ1Ｏ）p1−（ＥＯ）q1−は、この順にＲ1−Ｏとブロックで結合している。〕
【００１２】
（ａ）成分の一般式（１）中、Ｒ1は炭素数１０以上、１８以下の炭化水素基である。Ｒ1は、洗浄力の点で炭素数１２以上が好ましく、そして、１６以下、更に１４以下が好ましい。Ｒ1の炭化水素基としては、洗浄力の点から、アルキル基、アルケニル基が好ましく、アルキル基がより好ましい。Ｒ1の炭化水素基としては、洗浄力の点から、直鎖の炭化水素基が好ましい。とりわけ直鎖の第１級アルキル基、直鎖の第１級アルケニル基が好ましく、直鎖の第１級アルキル基がより好ましい。
【００１３】
一般式（１）中のＡ1Ｏである炭素数３のアルキレンオキシ基及び炭素数４のアルキレンオキシ基から選ばれるアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕及びオキシブタン−１，２−ジイル基（一般的にブチレンオキシ基と呼ばれることもある。）から選ばれる１種以上の基が好ましく、オキシプロパン−１，２−ジイル基が更に好ましい。
【００１４】
一般式（１）中の“−（Ａ1Ｏ）p1−（ＥＯ）q1−”とは、１モルのＲ1Ｏ基に対して、炭素数３のアルキレンオキシ基及び炭素数４のアルキレンオキシ基から選ばれるアルキレンオキシ基（Ａ1Ｏ）が平均でｐ１モル付加し、アルキレンオキシ基に対してエチレンオキシ基（ＥＯ）が平均でｑ１モル付加していることを表す。ｐ１モルのアルキレンオキシ基とｑ１モルのエチレンオキシ基は、（Ａ1Ｏ）p1、（ＥＯ）q1の順でＲ1−Ｏとブロックで結合している。ブロックで結合している構造を有することが、詰め込み洗濯条件下での、食べこぼし汚れに対する洗浄効果の点で好ましい。
【００１５】
一般式（１）中のｐ１は、Ａ1Ｏの平均付加モル数であり、食べこぼし汚れの洗浄性の点から、１．０以上であり、１．２以上が好ましく、１．５以上がより好ましく、１．７以上が更に好ましい。本発明の衣料用液体洗浄剤組成物を衣料に塗布した後、詰め込み洗濯を行っても、衣料から汚れと共に洗浄液中に脱離しやすい点で、ｐ１は３．０以下であり、２．８以下が好ましく、２．６以下がより好ましく、２．４以下が更に好ましい。また、（ａ）成分と（ｂ）成分に対する相対的な（ｃ）成分の必要量を少なくできる点、即ち、（ａ）成分の配合量と（ｂ）成分の配合量の合計量と（ｃ）成分の配合量との質量比（ｃ）成分／〔（ａ）成分＋（ｂ）成分〕を、より小さくできる点で、ｐ１は３．０以下であり、２．８以下が好ましく、２．６以下がより好ましく、２．４以下が更に好ましい。
【００１６】
一般式（１）中のｑ１は、ＥＯの平均付加モル数であり、詰め込み洗濯を行っても、衣料から汚れと共に洗浄液中に脱離しやすい点で、１．０以上であり、１．２以上が好ましく、１．４以上がより好ましく、１．６以上が更に好ましい。また、（ａ）成分と（ｂ）成分に対する相対的な（ｃ）成分の必要量を少なくできる点、即ち、（ａ）成分の配合量と（ｂ）成分の配合量の合計量と（ｃ）成分の配合量との質量比（ｃ）成分／〔（ａ）成分＋（ｂ）成分〕をより小さくできる点で、ｑ１は１．０以上であり、１．２以上が好ましく、１．４以上がより好ましく、１．６以上が更に好ましい。ｑ１は、食べこぼし汚れの洗浄性の点から、３．０以下であり、２．８以下が好ましく、２．６以下がより好ましく、２．４以下が更に好ましい。
【００１７】
また、一般式（１）中のＭは、水素原子又は塩を形成する対イオンの陽イオンである。Ｍの好ましい例は、水素原子イオン、アルカリ金属イオン、アルカリ土類金属イオン、アンモニウムイオン、及び炭素数１以上、６以下のアルカノールアンモニウムイオンが挙げられる。
アルカリ金属イオンとしては、ナトリウムイオン、カリウムイオン、リチウムイオンが挙げられ、アルカリ土類金属イオンとしては、マグネシウムイオンが挙げられ、炭素数１以上、６以下のアルカノールアンモニウムイオンとしては、モノエタノールアンモニウムイオン、トリエタノールアンモニウムイオンが挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００１８】
＜（ｂ）成分＞
本発明で用いられる（ｂ）成分の非イオン界面活性剤は、下記一般式（２）で表される化合物である。
Ｒ2−Ｏ−（Ａ2Ｏ）p2−（ＥＯ）q2−Ｈ        （２）
〔式中、Ｒ2は炭素数１０以上、１８以下の炭化水素基を示し、Ａ2Ｏは、炭素数３のアルキレンオキシ基及び炭素数４のアルキレンオキシ基から選ばれるアルキレンオキシ基を示し、ｐ２は平均付加モル数で１．０以上、３．０以下の数であり、ＥＯはエチレンオキシ基であり、ｑ２は平均付加モル数で１．０以上、３．０以下の数を示す。−（Ａ2Ｏ）p2−（ＥＯ）q2−は、この順にＲ2−Ｏとブロックで結合している。〕
【００１９】
（ｂ）成分の一般式（２）中、Ｒ2は炭素数１０以上、１８以下の炭化水素基である。Ｒ2は、洗浄力の点で炭素数１２以上が好ましく、そして、１６以下、更に１４以下が好ましい。Ｒ2の炭化水素基としては、洗浄力の点から、アルキル基、アルケニル基が好ましく、アルキル基がより好ましい。Ｒ2の炭化水素基としては、洗浄力の点から、直鎖の炭化水素基が好ましい。とりわけ直鎖の第１級アルキル基、直鎖の第１級アルケニル基が好ましく、とりわけ直鎖の第１級アルキル基が好ましい。
【００２０】
一般式（２）中のＡ2Ｏである炭素数３のアルキレンオキシ基及び炭素数４のアルキレンオキシ基から選ばれるアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕及びオキシブタン−１，２−ジイル基（一般的にブチレンオキシ基と呼ばれることもある。）から選ばれる１種以上の基が好ましく、オキシプロパン−１，２−ジイル基が更に好ましい。
【００２１】
一般式（２）中の“−（Ａ2Ｏ）p2−（ＥＯ）q2−”とは、１モルのＲ2Ｏ基に対して、炭素数３のアルキレンオキシ基及び炭素数４のアルキレンオキシ基から選ばれるアルキレンオキシ基（Ａ2Ｏ）が平均でｐ２モル付加し、アルキレンオキシ基に対してエチレンオキシ基（ＥＯ）が平均でｑ２モル付加していることを表す。ｐ２モルのアルキレンオキシ基とｑ２モルのエチレンオキシ基は、（Ａ2Ｏ）p2、（ＥＯ）q2の順でＲ2−Ｏとブロックで結合している。ブロックで結合している構造を有することが、詰め込み洗濯条件下での、食べこぼし汚れに対する洗浄効果の点で好ましい。
【００２２】
一般式（２）中のｐ２は、Ａ2Ｏの平均付加モル数であり、食べこぼし汚れの洗浄性の点から、１．０以上であり、１．２以上が好ましく、１．５以上がより好ましく、１．７以上が更に好ましい。本発明の衣料用液体洗浄剤組成物を衣料に塗布した後、詰め込み洗濯を行っても、衣料から汚れと共に洗浄液中に脱離しやすい点で、ｐ２は３．０以下であり、２．８以下が好ましく、２．６以下がより好ましく、２．４以下が更に好ましい。
【００２３】
一般式（２）中のｑ２は、ＥＯの平均付加モル数であり、詰め込み洗濯を行っても、衣料から汚れと共に洗浄液中に脱離しやすい点で、１．０以上であり、１．２以上が好ましく、１．４以上がより好ましく、１．６以上が更に好ましい。ｑ２は、食べこぼし汚れの洗浄性の点から、３．０以下であり、２．８以下が好ましく、２．６以下がより好ましく、２．４以下が更に好ましい。
【００２４】
本発明では、（ａ）成分のｐ１と（ｂ）成分のｐ２との比が、ｐ１／ｐ２で、０．８以上、１．２以下であることが、詰め込み洗濯条件下での食べこぼし汚れのより優れた洗浄性を有する点で、好ましい。ｐ１／ｐ２の比は、０．８５以上が好ましく、０．９０以上がより好ましく、０．９５以上が更に好ましく、そして、１．１５以下が好ましく、１．１以下がより好ましく、１．０５以下が更に好ましい。
【００２５】
また、本発明では、（ａ）成分のｑ１と（ｂ）成分のｑ２との比が、ｑ１／ｑ２で、０．９以上、１．１以下であることが、詰め込み洗濯条件下での食べこぼし汚れのより優れた洗浄性を有する点で、好ましい。ｑ１／ｑ２の比は、０．９５以上が好ましく、そして、１．０５以下が好ましい。
【００２６】
本発明では、ｐ１とｐ２、及びｑ１とｑ２の値が近いことが、（ａ）成分と（ｂ）成分が協働して、たべこぼし汚れの洗浄性を向上させる点でより好ましい。そのため、ｐ１／ｐ２の比が前記範囲にあり、且つｑ１／ｑ２の比が前記範囲にあることが好ましい。
【００２７】
（ａ）成分と（ｂ）成分が、より協働して、たべこぼし汚れの洗浄性を向上させる点で、前記Ｒ1とＲ2が実質的に同じ炭化水素基、すなわち、同じ炭素数且つ同じ構造の炭化水素基であることが好ましい。
【００２８】
＜（ｃ）成分＞
（ｃ）成分は、炭素数１２以上、１４以下の脂肪酸及びその塩から選ばれる化合物である。より具体的には、ラウリン酸及びミリスチン酸から選ばれる脂肪酸並びにその塩から選ばれる化合物である。詰め込み洗濯条件下での、食べこぼし汚れの洗浄性が優れる点で、（ｃ）成分中、ラウリン酸及びその塩から選ばれる化合物が５０質量％以上であることが好ましい。塩として使用する場合は、ナトリウム塩、カリウム塩、モノエタノールアミン塩であることが、洗浄性の点で好ましい。
【００２９】
＜（ｄ）成分＞
（ｄ）成分は、炭素数３以上、９以下の炭化水素基を有する２価のアルコール〔以下、（ｄ１）成分という〕、及び炭素数１以上、５以下の１価のアルコールに、炭素数２又は３のアルキレンオキシ基が、２モル又は３モル付加した化合物〔以下、（ｄ２）成分という〕から選ばれる１種以上の化合物である。
【００３０】
（ｄ）成分のうち、（ｄ１）成分の炭素数３以上、９以下の炭化水素基を有する２価のアルコールとしては、詰め込み洗濯条件での、食べこぼし汚れの洗浄性の点から、プロピレングリコール、１，６−ヘキサンジオール、１，８−オクタンジオール及び１，９−ノナンジオールから選ばれる化合物が好ましい。
【００３１】
また、（ｄ）成分のうち、（ｄ２）成分の炭素数１以上、５以下の１価のアルコールに、炭素数２又は３のアルキレンオキシ基が、２モル又は３モル付加した化合物としては、ジエチレングリコールモノブチルエーテルが好ましい。
【００３２】
本発明では、（ｄ）成分として、（ｄ１）成分及び（ｄ２）成分の両方を配合することが好ましい。その場合、（ｄ１）成分と（ｄ２）成分を含む（ｄ）成分がより少ない配合量で本発明の目的を達成できる点から、（ｄ２）／（ｄ１）の質量比は、５以上、更に１０以上が好ましく、そして、５０以下、更に３０以下が好ましい。
【００３３】
＜水＞
本発明の衣料用液体洗浄剤組成物は、５℃〜４０℃における状態を液体状態とする為に、水を含有する。水は脱イオン水（イオン交換水とも言う場合もある）や次亜塩素酸ソーダをイオン交換水に対して１ｍｇ／ｋｇ以上、５ｍｇ／ｋｇ以下、添加した水を使用することが出来る。
【００３４】
＜衣料用液体洗浄剤組成物＞
本発明の衣料用液体洗浄剤組成物は、（ａ）成分、（ｂ）成分、（ｃ）成分、（ｄ）成分及び水を配合してなる。本発明において「配合してなる」とは、前記（ａ）成分、（ｂ）成分、（ｃ）成分、（ｄ）成分及び水だけでなく、必要に応じて任意の成分を配合できることを意味する。本発明において、「（ａ）成分、（ｂ）成分、（ｃ）成分、（ｄ）成分及び水を配合してなる」とは、前記（ａ）成分、（ｂ）成分、（ｃ）成分、（ｄ）成分及び水を含む成分を配合してなることも意味する。以下、質量％は、特記しない限り、全配合原料の合計質量を基準とするものである。また、各成分についての配合量は、組成物中の含有量として読み替えることができる。
【００３５】
本発明の本発明の衣料用液体洗浄剤組成物では、水の配合量が８質量％超、５０質量％以下である。水の配合量が、８質量％超であると、衣料用液体洗浄剤組成物を、衣料に付着した食べこぼし汚れに塗布した後、詰め込み洗濯をした場合に、汚れを洗浄浴中に分散させやすくなる。詰め込み洗濯時の食べこぼし汚れの洗浄性の向上の点で、水の配合量は、１０質量％以上が好ましい。食べこぼし汚れの洗浄性の点から、水の配合量は５０質量％以下であり、４０質量％以下が好ましく、３０質量％以下がより好ましく、２０質量％以下がより更に好ましい。
【００３６】
本発明の衣料用液体洗浄剤組成物では、（ａ）成分の配合量と（ｂ）成分の配合量との質量比が、（ｂ）成分／（ａ）成分で、０．０２以上、０．５以下である。衣料に付着した食べこぼし汚れに塗布する使用方法での洗浄性を高める点で、（ｂ）成分／（ａ）成分の質量比は、０．０５以上が好ましく、０．０８以上が好ましく、０．０９以上がより好ましく、０．１以上が更に好ましく、０．１５以上が更に好ましい。保存安定性の点で、（ｂ）成分／（ａ）成分の質量比は、０．４以下が好ましく、０．３以下がより好ましく、０．２以下が更に好ましく、０．１８以下がより更に好ましい。
【００３７】
（ｃ）成分は、本発明の衣料用液体洗浄剤組成物を、衣料に付着した食べこぼし汚れに塗布した後、詰め込み洗濯をした場合に、食べこぼし汚れの洗浄性を高めるために用いても良い。本発明の衣料用液体洗浄剤組成物では、（ａ）成分の配合量と（ｂ）成分の配合量の合計量と、（ｃ）成分の配合量との質量比は、（ｃ）成分／〔（ａ）成分＋（ｂ）成分〕で、０．０５以上が好ましく、０．０７以上がより好ましく、０．０９以上が更に好ましく、０．１以上がより更に好ましい。コストの点から、（ｃ）成分／〔（ａ）成分＋（ｂ）成分〕の質量比は、０．４以下が好ましく、０．３以下がより好ましく、０．２５以下が更に好ましく、０．２以下がより更に好ましい。
【００３８】
（ｄ）成分は、詰め込み洗濯時に、食べこぼし汚れが付着した衣料に、衣料用洗浄剤組成物を塗布して洗浄する際に、衣料から汚れを洗浄液中に分散させることで洗浄性を高める働きを有すると考えている。本発明の衣料用液体洗浄剤組成物では、（ａ）成分の配合量と（ｂ）成分の配合量と（ｃ）成分の配合量の合計量と、（ｄ）成分の配合量の比が、（ｄ）成分／〔（ａ）成分＋（ｂ）成分＋（ｃ）成分〕で、０．３以上、０．８以下である。（ｄ）成分／〔（ａ）成分＋（ｂ）成分＋（ｃ）成分〕の質量比は、塗布して洗浄する際の洗浄性向上の点から、０．４以上が好ましい。コストの点から、０．７以下が好ましく、０．６以下がより好ましく、０．５以下が更に好ましい。
【００３９】
本発明の衣料用液体洗浄剤組成物では、上記質量比を満たした上で、（ａ）成分の配合量と（ｂ）成分の配合量と（ｃ）成分の配合量の合計配合量は、２０質量％以上、更に３０質量％以上、そして、４０質量％以下、更に３５質量％以下の範囲から選択されることが好ましい。
【００４０】
本発明の衣料用液体洗浄剤組成物では、上記質量比を満たした上で、（ａ）成分の配合量は、１５質量％以上、更に２０質量％以上、そして、４０質量％以下、更に３０質量％以下の範囲から選択されることが好ましい。
【００４１】
本発明の液体洗浄剤組成物には、上記必須成分の他に、本発明の効果を阻害しない範囲内で、（ｃ）成分以外の高級脂肪酸、（ｄ）成分以外の溶剤、キレート剤、再汚染防止剤として、例えばポリエチレングリコール、カルボキシメチルセルロース等、乳濁剤として、例えばポリ酢酸ビニル、酢酸ビニルスチレン重合体、ポリスチレンなどを配合する事ができる。更にｐＨを調整するために水酸化ナトリウム、水酸化カリウム、アルカノールアミン、硫酸、塩酸等を使用できる。また、増粘剤、漂白剤、酵素、防腐剤などを配合することもできる。更に、洗浄力などを更に向上させるために（ａ）成分以外の陰イオン界面活性剤、（ｂ）成分以外の非イオン界面活性剤、陽イオン界面活性剤、両性界面活性剤など、他の界面活性剤を配合することもできる。
【００４２】
本発明の衣料用液体洗浄剤組成物は、塗布型の組成物として好適である。塗布型とは、衣料に直接塗布して洗浄に供する洗浄方法に使用されることを意味する。本発明は、衣料用塗布型洗浄剤組成物を提供する。また、本発明の衣料用液体洗浄剤組成物は、浴比が３以上、１５以下である洗浄方法に使用されることが好ましい。ここで、浴比は、衣料の質量と水と本発明の衣料用液体洗浄剤組成物とを含有する洗浄液の容量との比であり、洗浄液の容量（リットル）／衣料の質量（ｋｇ）で定義される。
【００４３】
本発明により、水と、本発明の衣料用液体洗浄剤組成物０．０１質量％以上、０．１質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、好ましくは５以上、そして、１５以下、好ましくは１３以下の条件で、衣料を１分間以上、７分間以下洗浄する、衣料の洗浄方法が提供される。なお、洗浄液は、水と本発明の組成物が混合し含有したものでもよいし、前記のように本発明の組成物を衣料に塗布し、該衣料を水と混合することで調製されたものでもよい。
【実施例】
【００４４】
下記の（ａ）成分、（ｂ）成分、（ｃ）成分、（ｄ）成分及び水を用いて表１に記載の衣料用液体洗浄剤組成物を調製した。なお、モノエタノールアミンをｐＨ調整剤として使用した。また、表中では、（ｂ’）成分を（ｂ）成分として質量比等を示した。
【００４５】
〔（ａ）成分〕
（ａ−１）：一般式（１）において、Ｒ1がラウリル基とミリスチル基とを、ラウリル基／ミリスチル基の質量比が７／３で混合したアルキル基であり、Ａ1Ｏがプロピレンオキシ基であり、ｐ１が２．０の数であり、ｑ１が２．０の数であり、Ｍがモノエタノールアンモニウムイオンである化合物。
【００４６】
〔（ｂ）成分〕
（ｂ−１）：一般式（２）において、Ｒ2がラウリル基とミリスチル基とを、ラウリル基／ミリスチル基の質量比が７／３で混合したアルキル基であり、Ａ2Ｏがプロピレンオキシ基であり、ｐ２が２．０の数であり、ｑ２が２．０の数である化合物。
【００４７】
〔（ｂ’）成分：比較化合物〕
（ｂ’−１）：一般式（２）において、Ｒ2がラウリル基とミリスチル基とを、ラウリル基／ミリスチル基の質量比が７／３で混合したアルキル基であり、Ａ2Ｏがプロピレンオキシ基であり、ｐ２が２．０の数であり、ｑ２が１０の数である化合物。
【００４８】
〔（ｃ）成分〕
（ｃ−１）：ラウリン酸とミリスチン酸が質量比で、ラウリン酸／ミリスチン酸＝６０／４０で混合された混合脂肪酸
【００４９】
〔（ｄ）成分〕
（ｄ１−１）：プロピレングリコール
（ｄ２−１）：ジエチレングリコールモノブチルエーテル
【００５０】
〔水〕：イオン交換水
【００５１】
・ミートソース汚染布の調製
市販のレトルトミートソース〔日清フーズ（株）製  マ・マー  つけスパゲッティ用ミートピリ辛ソース〕を木綿メリヤス布（谷頭商店製）に０．１５ｇ塗布し、均一に塗り広げて２５℃、４５％ＲＨの環境下で１２時間乾燥させたものを試験に供した。
【００５２】
＜洗浄評価方法＞
（１）洗浄力の評価
評価用液体洗浄剤組成物を、上記で作製したミートソース汚染布（６ｃｍ×６ｃｍ）５枚に、それぞれ６７μＬ直接塗り、その状態で５分間静置したのち、１Ｌの水道水に入れてターゴトメーター（Ueshima, MS-8212）にて８５ｒｐｍで洗浄した。洗浄条件は洗浄時間１０分、洗浄時洗剤組成物濃度０．０３３質量％、水温は２０℃であり、浴比は１２（木綿２００３（谷頭商店製）を６ｃｍ×６ｃｍに裁断した布で調整）であり、洗浄後、水道水（２０℃）で３分間すすいだ。
【００５３】
汚染前の原布、及び洗浄前後の５５０ｎｍにおける反射率を測色色差計（日本電色株式会社製 Ｚ−３００Ａ）にて測定し、次式によって洗浄率（％）を求めた（表中の値は５枚の洗浄率の平均値）。
洗浄率（％）＝１００×［（洗浄後の反射率−洗浄前の反射率）／（原布の反射率−洗浄前の反射率）］
【００５４】
【表１】
2015025062.tif 000002